(57)【要約】【課題】サービスを利用した交換対象とする商品を区別できるようにする。【解決手段】実施形態によれば、商品登録装置は、表示手段、選択手段、設定手段、出力手段を有する。表示手段は、購入対象として登録された購入商品のリストを表示する。選択手段は、前記リストの購入商品から購入者が所有するポイントと交換する商品を選択する。設定手段は、前記商品に対して前記ポイントとの交換対象であることを示す情報を設定する。出力手段は、前記情報が設定された前記商品を他の購入商品と区別して出力する。【選択図】図１
2019109593.tif 000002
【特許請求の範囲】
【請求項１】
購入対象として登録された購入商品のリストを表示する表示手段と、
前記リストの購入商品から購入者が所有するポイントと交換する商品を選択する選択手段と、
前記商品に対して前記ポイントとの交換対象であることを示す情報を設定する設定手段と、
前記情報が設定された前記商品を他の購入商品と区別して出力する出力手段とを有する商品登録装置。
【請求項２】
前記出力手段は、前記商品と対応づけて前記情報を出力する請求項１記載の商品登録装置。
【請求項３】
前記出力手段は、前記商品との交換に使用されたポイント数を出力する請求項１または請求項２記載の商品登録装置。
【請求項４】
前記出力手段は、前記ポイントと交換された商品の数を出力する請求項３記載の商品登録装置。
【請求項５】
前記設定手段は、前記商品に対して前記ポイントとの交換が可能か判定し、交換が可能と判定された場合に前記情報を設定する請求項１記載の商品登録装置。
【請求項６】
コンピュータを、
購入対象として登録された購入商品のリストを表示する表示手段と、
前記リストの購入商品から購入者が所有するポイントと交換する商品を選択する選択手段と、
前記商品に対して前記ポイントとの交換対象であることを示す情報を設定する設定手段と、
前記情報が設定された前記商品を他の購入商品と区別して出力する出力手段として機能させるための商品登録プログラム。
【発明の詳細な説明】
【技術分野】
【０００１】
本発明の実施形態は、商品登録装置、及び商品登録プログラムに関する。
【背景技術】
【０００２】
従来、小売業においては、ポイントサービス、スタンプサービスといったサービスが提供されている。ポイントサービスは、各種の商品の購入金額や来店等の回数など、予め設定された条件を満たす場合に、購入者に対して所定のポイントを提供する。ポイントを所有する購入者は、ポイントを次回以降の商品購入時に代金の一部として使用したり、商品との交換に使用したりすることができる。同様にスタンプサービスは、予め設定された条件を満たす場合に購入者に対してスタンプが提供され、スタンプの数が規定数に達した場合に、所定の商品と交換することができる。
【０００３】
従来、購入者がポイントサービスあるいはスタンプサービスを利用する場合、ＰＯＳ（Point Of Sales）端末等の商品登録装置は、サービス対象とする商品に対して、値割引きや商品券扱いの値引きの処理をしている。
【０００４】
また、ポイントあるいはスタンプを商品との交換に使用する場合、商品登録装置は、購入代金が０円となる値引きとして処理する、または交換対象とする商品の単価を０円として処理している。すなわち、商品登録装置は、ポイントサービスあるいはスタンプサービスを利用して交換された商品について、販売額が異なるだけで他の通常の販売により売り上げた商品と同様にして処理していた。
【０００５】
このため、販売された複数の商品の中に、ポイントサービスあるいはスタンプサービスを利用して交換された商品が含まれていても、画面表示やレシート印字、あるいは販売した商品の集計等において区別することができなかった。
【先行技術文献】
【特許文献】
【０００６】
【特許文献１】特表２００１−５０６０２４号公報
【発明の概要】
【発明が解決しようとする課題】
【０００７】
本発明が解決しようとする課題は、サービスを利用した交換対象とする商品を区別することが可能な商品登録装置、及び商品登録プログラムを提供することである。
【課題を解決するための手段】
【０００８】
実施形態によれば、商品登録装置は、表示手段、選択手段、設定手段、出力手段を有する。表示手段は、購入対象として登録された購入商品のリストを表示する。選択手段は、前記リストの購入商品から購入者が所有するポイントと交換する商品を選択する。設定手段は、前記商品に対して前記ポイントとの交換対象であることを示す情報を設定する。出力手段は、前記情報が設定された前記商品を他の購入商品と区別して出力する。
【図面の簡単な説明】
【０００９】
【図１】本実施形態における商品登録装置の構成を示すブロック図。
【図２】本実施形態における商品登録装置の動作を示すフローチャート。
【図３】本実施形態の商品登録装置において使用される登録画面の一例を示す図。
【図４】本実施形態の商品登録装置において使用される特定商品が設定された後の登録画面の一例を示す図。
【図５】本実施形態の商品登録装置のディスプレイにおける客面画面の一例を示す図。
【図６】本実施形態における商品登録装置において発行されるレシートの一例を示す図。
【図７】本実施形態における商品登録装置の点検レポートの一例を示す図。
【発明を実施するための形態】
【００１０】
以下、本実施形態について、図面を参照しながら説明する。
図１は、本実施形態における商品登録装置１０の構成を示すブロック図である。商品登録装置１０は、ネットワーク１２に接続されている。ネットワーク１２は、ＬＡＮ（Local Area Network）、インターネット、無線ＬＡＮなどの通信網を用いることができる。商品登録装置１０は、ネットワーク１２を介して、サーバ１３と通信することができる。
【００１１】
本実施形態における商品登録装置１０は、ポイントサービス及びスタンプサービスを購入者に提供するための各種機能が設けられる。ポイントサービスは、各種の商品の購入金額や来店等の回数など、予め設定された条件を満たす場合に、購入者に対して所定のポイントを提供する。購入者に対して提供されるポイントは、例えばポイントカードに記録したり、会員登録した購入者に固有の識別データ（会員メンバーＩＤなど）と対応づけてサーバ１４に記憶したりすることができる。ポイントを所有する購入者は、ポイントを次回以降の商品購入時に代金の一部として使用したり、商品との交換に使用したりすることができる。また、スタンプサービスは、予め設定された条件を満たす場合に購入者に対してスタンプを提供する。購入者に対して提供されるスタンプは、例えば紙媒体に記録したり、ポイントと同様に購入者に固有の識別データと対応づけて電子スタンプとしてサーバ１４に記憶したりすることができる。購入者は、スタンプの数が規定数に達した場合に、所定の商品と交換することができる。なお、ポイント及びスタンプの管理方法は、前述した方法以外の他の方法を使用することが可能である。
【００１２】
本実施形態における商品登録装置１０は、通常の購入者が購入しようとする購入商品と同様に、ポイントあるいはスタンプと交換する商品を登録し、ポイントあるいはスタンプとの交換対象であることを示す情報を設定する。商品登録装置１０は、この情報が選択された商品について、他の購入商品と区別する形式によって表示あるいはレシートへの印刷を可能とする。
【００１３】
商品登録装置１０は、コンピュータの機能が実装されており、ＣＰＵ（central processing unit）１１ａ、ＲＯＭ（read-only memory）１１ｂ、ＲＡＭ（random-access memory）１１ｃ、補助記憶ユニット１１ｄ、ドロワ開放ユニット１１ｅ、スキャナ１１ｆ、タッチパネル１１ｇ、ディスプレイ１１ｈ、プリンタ１１ｊ、カードリーダライタ１１ｍ、及び通信ユニット１１ｎを有する。
【００１４】
ＣＰＵ１１ａは、ＲＯＭ１１ｂ及びＲＡＭ１１ｃに記憶されたオペレーティングシステム、ミドルウェア及びアプリケーションプログラムに基づいて、商品登録装置１０としての各種の動作を実現するべく各部を制御するための回路である。
【００１５】
ＲＯＭ１１ｂ及びＲＡＭ１１ｃは、ＣＰＵ１１ａにより実行される各種プログラムの他、ＣＰＵ１１ａが各種の処理を行う上で参照するデータを記録する。例えば、ＲＡＭ１１ｃには、商品の情報を登録する処理が実行される場合に、購入者による購入対象とする商品の情報が登録される登録商品データが記録される。
【００１６】
ＣＰＵ１１ａにより実行されるプログラムには、スキャナ１１ｆによる商品に付された商品コードの入力あるいはタッチパネル１１ｇに対するキー操作に応じて購入対象とする商品の情報を入力する処理、商品の情報に応じた取引情報（商品名、金額、小計額、ポイントとの交換対象であることを示す情報などを含む）を登録商品データに記録する処理、取引情報に応じた決済情報をもとにした決済処理などを実行する商品登録プログラムが含まれる。
【００１７】
補助記憶ユニット１１ｄは、ＣＰＵ１１ａが各種の処理を行う上で使用するデータ、あるいはＣＰＵ１１ａの処理によって生成されたデータを記憶する。補助記憶ユニット１１ｄとしては、例えばＨＤＤ（hard disk drive）、あるいはＳＳＤ（solid state drive）などを使用できる。
【００１８】
ドロワ開放ユニット１１ｅは、投入される硬貨及び紙幣を収受、釣銭とする硬貨及び紙幣を排出する。
スキャナ１１ｆは、例えば、光学的スキャンにより商品の情報を読み取って、商品に固有の商品コードを入力する。スキャナ１１ｆは、固定式またはハンディ式の２次元コードスキャナとしても良いし、商品を撮影した画像から画像認識技術を利用して商品を識別するタイプとしても良い。
【００１９】
タッチパネル１１ｇは、従業員により入力操作がされるデバイスであり、表示デバイス及びタッチセンサを含む。表示デバイスは、ＧＵＩ（Graphical User Interface）画面などの任意の画面を表示する。例えば、表示デバイスは、購入対象として登録された商品に関する登録情報（商品名、金額、ポイントとの交換対象であることを示す情報など）の一覧リスト、各種のメニュー及びコマンド等を入力するためのソフトウェアキーなどを表示する。表示デバイスとしては、例えばカラーＬＣＤ（Liquid Crystal Display）等の周知のデバイスを利用できる。タッチセンサは、表示デバイスの表示面に重ねて配置される。タッチセンサは、表示デバイスの表示面への操作者のタッチ位置を検出し、その位置情報をＣＰＵ１１ａへと送る。なお、従業員により入力操作がされるデバイスとして、タッチパネル１１ｇの他にキーボードが設けられているものとする。
【００２０】
ディスプレイ１１ｈは、例えば購入者に対して情報を提供するための客面用として用いられるデバイスであり、カラーＬＣＤ等の周知のデバイスを利用できる。
【００２１】
プリンタ１１ｊは、例えばサーマルプリンタまたはドットインパクトプリンタなどであり、レシート用紙に対して各種の文字列、画像、コードパターン（バーコード、２次元コードなど）などを印刷することにより、商品名、単価、合計金額などの取引内容が印刷された取引レシート等を発行する。
【００２２】
カードリーダライタ１１ｍは、カードに記録されたデータを読み取るとともに、カードへデータを書き込む。カードは、クレジットカード、デビットカード、電子マネーカード、プリペイドカードなどの決済用カードの他に、メンバーズカード、ポイントカードなどの決済処理に関わる情報を記録する各種のカードを含む。カードリーダライタ１１ｍは、磁気式、接触式、あるいは非接触式の何れのデバイスであっても良いし、また複数種のデバイスを含んでいても良い。ポイントカードには、購入者に対して、ポイントサービスの利用により提供されたポイントが記録される。また、ポイントサービスで使用されるポイントは、ポイントカードに記録されるだけでなく、メンバーズカード（購入者）に固有の識別データ（会員メンバーＩＤなど）と対応づけてサーバ１４に記録される。
通信ユニット１１ｎは、ネットワーク１２を介して、サーバ１４等との通信を行う。
【００２３】
次に、本実施形態における商品登録装置１０の動作について説明する。
図２は、本実施形態における商品登録装置１０の動作を示すフローチャートである。ここでは、ポイントサービスにより購入者に対して提供されたポイントを利用する場合を例にして説明する。なお、ポイントサービスによるポイントの提供は、既存のシステムによって実現されるものとして詳細な説明を省略する。また、スタンプサービスにより購入者に対して提供されたスタンプを利用した商品との交換は、ポイントにより商品交換する場合と実質同一である。従って、以下の説明において、ポイントによる商品との交換は、スタンプによる商品の交換と置き換えることが可能であるものとする。
【００２４】
ＣＰＵ１１ａは、新たな購入者についての商品登録処理を開始すると、ＲＡＭ１１ｃの登録商品データ用の領域をクリアし、店員用のタッチパネル１１ｇに登録画面を表示させる（Ａｃｔ１）。登録画面は、買物客による購入対象として登録された商品（購入商品）の情報、及び店員が商品を指定するための商品キー及び各種の機能キーなどを表示するための画面である。
【００２５】
図３は、本実施形態の商品登録装置１０において使用される登録画面Ｄ１の一例を示す図である。
登録画面Ｄ１には、店員が商品を指定するための複数の商品キー２０、複数の機能別に設けられた複数の機能キー２２、購入者による購入対象として登録された商品の情報（取引情報）を一覧表示するための一覧リスト２４、一覧リスト２４に登録された商品の点数と小計金額を表示する小計表示エリア２６などが設けられる。
【００２６】
本実施形態の商品登録装置１０では、機能キー２２において、商品交換キー２２Ａが設定されている。商品交換キー２２Ａは、一覧リスト２４に表示された商品から購入者が所有するポイントと交換する商品を選択することを指示（宣言）するためのキーである。
【００２７】
ＣＰＵ１１ａは、登録画面Ｄ１を表示させた状態において、カードリーダライタ１１ｍによるカードの読み取り、タッチパネル１１ｇの画面中に表示された商品キー２０へのタッチ操作、会計締めをして決済処理を指示するための小計キーへのタッチ操作、及びスキャナ１１ｆによる商品コードの入力などのイベントを待ち受ける。
【００２８】
例えば、購入者は、ポイントを代金の一部として使用する、あるいはポイントを用いて商品交換することを意図する場合、ポイントカードあるいはメンバーズカードを店員に提供する。店員は、ポイントカードあるいはメンバーズカードをカードリーダライタ１１ｍにより読み取らせる。ＣＰＵ１１ａは、カードリーダライタ１１ｍを通じてポイントカードに記録されたポイントが入力されると（Ａｃｔ２、Ｙｅｓ）、このポイントをＲＡＭ１１ｃに記憶させる（Ａｃｔ３）。また、ＣＰＵ１１ａは、カードリーダライタ１１ｍを通じてメンバーズカードから会員メンバーＩＤが読み取られると、サーバ１４に対して、会員メンバーＩＤと対応づけて記録された会員データの送信を要求する。ＣＰＵ１１ａは、会員データをサーバ１４から受信すると（Ａｃｔ２、Ｙｅｓ）、受信データに含まれるポイントを示すデータをＲＡＭ１１ｃに記憶させる（Ａｃｔ３）。
【００２９】
なお、購入者が所有するポイントの入力は、小計キーへの操作（会計締め）前であれば、何時でも実行することができる。また、購入者のポイントが入力された場合、ＣＰＵ１１ａは、登録画面Ｄ１において、ポイント数を表示させておくこともできる。
【００３０】
一方、店員の操作により商品キー２０から商品が指定された、あるいはスキャナ１１ｆから商品に付された商品コードが読み取られたことを検出すると（Ａｃｔ５、Ｙｅｓ）、ＣＰＵ１１ａは、商品の情報（商品名、単価（金額）など）を登録商品データに追加（更新）する（Ａｃｔ６）。また、ＣＰＵ１１ａは、更新後の登録商品データの内容に応じて登録画面Ｄ１の一覧リスト２４の表示を更新する（Ａｃｔ７）。その後、ＣＰＵ１１ａは、前述したように、店員により購入対象とする商品を入力する操作がされる毎に、取得された商品コードに応じた商品の情報を、順次、登録商品データに追加する（Ａｃｔ５〜７）。
【００３１】
図３に示す登録画面Ｄ１の一覧リスト２４では、例えば１個の「天ぷらうどん」、１個の「月見うどん」、２個の「ざるそば」、４個の「冷やしそうめん」が入力された状態を示している。一覧リスト２４では、商品毎に金額が表示されている。また、小計表示エリア２６には、一覧リスト２４に表示された登録済み購入商品の点数「８点」と小計金額「５，２３０円」が表示されている。
【００３２】
また、ＣＰＵ１１ａは、購入者に対して情報を提供するための客面用のディスプレイ１１ｈにおいて、登録画面Ｄ１における一覧リスト２４と小計表示エリア２６と同じ情報を含む客面画面を表示させる（図５参照）。
【００３３】
こうして、少なくとも１つの商品が登録された後、登録済みの購入商品に対して、購入者からの要求に応じてポイントを利用した商品交換の対象として設定することができる。店員は、購入者からポイントによる商品交換の要求と、交換対象とする商品の指定を受けると、商品交換キー２２Ａの操作によりポイントと交換する商品を設定することができる。
【００３４】
例えば、ＣＰＵ１１ａは、一覧リスト２４に表示された購入商品が表示された位置へのタッチ操作、あるいはキーボードに対する操作により何れかの購入商品が指定された後、商品交換キー２２Ａに対する操作を検出すると（Ａｃｔ８、Ｙｅｓ）、ポイントによる商品交換が指示されたものと判別する。ＣＰＵ１１ａは、一覧リスト２４において選択された購入商品（以下、特定商品と称する場合がある）をポイントとの交換対象として選択する（Ａｃｔ９）。
【００３５】
ここで、ＣＰＵ１１ａは、特定商品がポイント交換可能であるか、予め設定された条件に基づいて判別する。予め設定された条件としては、例えば金券販売商品などの交換不可が予め設定された商品でないこと、例えばプロモーション宣言された商品など販促のために単価（金額）が「０円」として提供されている商品でないこと、購入者が所持しているポイントにより交換可能な金額であること、などがある。その他の条件が設定されていても良い。
【００３６】
購入者が所持しているポイントにより交換可能な金額としては、予め設定されたポイントに対する金額に応じて判別される。例えば、ポイント商品交換レートを１ポイントを「１円」とする場合、購入者が所有するポイント以下の価格（金額）の商品についてポイント交換可能とする。
【００３７】
なお、ＣＰＵ１１ａは、購入者が所持しているポイントを商品交換ではなく、通常のポイントによる代金支払い（ポイント支払い）に利用することが指定されている場合には、この代金支払いに利用するポイントを含めてポイント交換可能であるかを判別する。
【００３８】
すなわち、ポイントについての以下の条件が整う場合にポイントによる商品交換可能とする。
【００３９】
特定商品の金額（個数×単価）≦  
（購入者が所有するポイント数−ポイント支払分のポイント数）×（ポイント商品交換レート）
また、本実施形態では、一覧リスト２４から交換対象とする商品を選択する。図３に示すように、一覧リスト２４では、同一の商品が複数個登録されている場合には１商品（１行）として表示している。このため、複数個の同一の商品をまとめて、ポイントとの交換対象（特定商品）として扱うものとする。図３に示す登録画面Ｄ１の一覧リスト２４では、例えば２個の「ざるそば」が店員の操作によって指定された状態を示している。この場合、２個の「ざるそば」（価格「１０００円」）がポイントとの交換対象となる。なお、複数個の同一の商品が購入される場合に、ポイント交換の対象とする商品数単位（１個、または複数個）で商品登録することで、複数個の同一の商品からポイント交換の対象とする特定商品を指定することが可能となる。
【００４０】
なお、先に購入者が所有するポイントが入力済みである場合、ＣＰＵ１１ａは、前述した条件をもとにした判定結果に基づいて、一覧リスト２４に表示された購入商品のなかでポイント交換が可能な商品を、ポイント交換を不可とする商品とは異なる形態によって表示させるようにしても良い。例えば、表示形態としては、文字色や背景色を変える、商品名と対応づけて特定のマークや記号などを付加するなどの方法を用いることができる。
【００４１】
これにより、一覧リスト２４から商品交換の対象とする特定商品を指示する際に、購入者から交換対象として要求された商品が交換可能であるか予め識別することができ、また複数の購入商品から特定商品を選択する操作を容易にすることができる。
【００４２】
ＣＰＵ１１ａは、前述した特定商品がポイント交換可能であるか判別した結果、交換不可とする判定結果の場合には（Ａｃｔ１０、Ｎｏ）、例えばタッチパネル１１ｇにエラー表示（あるいはエラー音の出力など）して、商品交換の設定ができなかったことを通知する。その後、商品登録の状態に戻る。
【００４３】
一方、ＣＰＵ１１ａは、前述した特定商品がポイント交換可能であるか判別した結果、交換可能とする判定結果の場合には（Ａｃｔ１０、Ｙｅｓ）、登録商品データ中の特定商品についてのデータを更新する（Ａｃｔ６）。すなわち、ＣＰＵ１１ａは、特定商品の金額を「０円」とすると共に、ポイントとの交換対象であることを示す情報を設定する（Ａｃｔ６）。また、ＣＰＵ１１ａは、更新後の登録商品データの内容に応じて登録画面Ｄ１の一覧リスト２４の表示を更新する（Ａｃｔ７）。ここで、ＣＰＵ１１ａは、特定商品がポイントとの交換対象とする商品（ポイント交換商品）として設定されたことを示すように、他の購入商品と区別して表示する。
【００４４】
図４は、本実施形態の商品登録装置１０において使用される特定商品が設定された後の登録画面Ｄ２の一例を示す図である。
図４では、２個の「ざるそば」がポイント交換商品として設定された表示例を示しており、商品の金額を示す位置に、金額の表示に代えて、ポイント交換商品であることを明示する特定の文字列「Ｐ交換」が付加されている。これにより、ポイント交換商品でり、合計金額の算出対象外であることを容易に認識することができる。なお、特定の文字列は「Ｐ交換」に限るものではなく、商品登録装置１０に対する設定処理において任意に変更可能であるものとする。
【００４５】
他の購入商品と区別する表示形態は、特定の文字列を付加するだけでなく、マーク、記号、図形などを付加したり、文字や背景の表示色を他の商品と異なるようにしたりするなど、他の表示形態を用いることが可能である。
【００４６】
ＣＰＵ１１ａは、小計表示エリア２６の購入商品の点数「８点」については変更せず、小計金額をポイント交換商品の金額分（「１０００円」）を引いた「４，２３０円」に更新して表示させる。
【００４７】
また、ＣＰＵ１１ａは、購入者に対して情報を提供するための客面用のディスプレイ１１ｈにおいて、図４に示す登録画面Ｄ２における一覧リスト２４と小計表示エリア２６と同じ情報を含む客面画面を表示させる。
【００４８】
図５は、本実施形態の商品登録装置１０のディスプレイ１１ｈにおける客面画面Ｄ３の一例を示す図である。
図５に示すように、客面画面Ｄ３には、購入対象として登録された商品の情報（取引情報）を一覧表示するための一覧リスト３０、一覧リスト３０に登録された商品の商品名称、単価、数量、金額を表示する商品情報表示エリア３４、購入商品の点数と小計金額を表示する小計表示エリア３２などが設けられる。
【００４９】
図５に示すように、ポイント交換商品が設定された場合、一覧リスト３０では、一覧リスト２４と同様にして、ポイント交換商品が設定されたことを示すように、他の購入商品と区別して表示される。すなわち、金額の表示に代えて、ポイント交換商品であることを明示する特定の文字列「Ｐ交換」が付加されている。商品情報表示エリア３４には、ポイント交換商品として設定された商品の商品名（「ざるそば」）、数量（「２」）が表示され、金額の表示エリアに特定の文字列「Ｐ交換」が表示される。また、小計表示エリア３２では、小計金額をポイント交換商品の金額分（「１０００円」）を引いた「４，２３０円」に更新されて表示される。
【００５０】
これにより、購入者は、ディスプレイ１１ｈに表示された客面画面Ｄ３をもとに、要求に応じて所有するポイントとの交換商品が正しく設定されたことを確認することができる。
【００５１】
こうして、少なくとも１つの商品が登録された後、ＣＰＵ１１ａは、小計キーへのタッチ操作を検出した場合（Ａｃｔ４、Ｙｅｓ）、登録商品データに登録された内容に基づいて、決済処理のための決済情報を生成する（Ａｃｔ１１）。ＣＰＵ１１ａは、決済処理に必要な操作が完了すると決済処理を実行する（Ａｃｔ１２）。すなわち、ＣＰＵ１１ａは、現金払い、クレジットカード支払いなどの支払い方法に応じた処理を実行して決済を完了する。そして、ＣＰＵ１１ａは、プリンタ１１ｊｈにより決済処理の結果をレシートを印刷させ、レシートを排出させる（Ａｃｔ１３）。
【００５２】
また、ＣＰＵ１１ａは、決済処理が完了した取引の内容をジャーナルデータとして記録する（Ａｃｔ１４）。ジャーナルデータには、前述したポイント交換商品についての設定内容、ポイント交換商品の設定に応じた決済情報が含まれる。
【００５３】
図６は、本実施形態における商品登録装置１０において発行されるレシートＰ１の一例を示す図である。
図６に示すレシートＰ１では、購入商品にポイント交換商品が含まれている場合、購入商品の一覧において、ポイント交換商品に対応する金額の印刷位置に、金額の印刷に代えて、一覧リスト２４と同じ特定の文字列「Ｐ交換」４０が印刷されている。こうして、購入者は、レシートＰ１においてポイント交換商品が他の購入商品と区別して表示されるので、ポイント交換商品を含む決済内容を確認することができる。
【００５４】
なお、レシートＰ１において、ポイント交換商品を他の購入商品と区別するための印刷形態として、特定の文字列「Ｐ交換」４０を印刷するだけでなく、他の印刷形態を使用することも可能である。また、登録画面Ｄ２における一覧リスト２４とは異なる形態を用いることも可能である。例えば、特定の文字列が一覧リスト２４における表示とレシートＰ１における印刷と異なるようにしても良い。
【００５５】
また、レシートＰ１には、ポイントに関するデータが印刷されている。ポイントに関するデータとしては、例えば今回の決済（商品購入）によって購入者に提供された今回ポイントのポイント数４２、商品交換によって使用した交換ポイントのポイント数４４、代金の一部として使用した利用ポイントのポイント数４６、決済処理後に購入者が所有する累計ポイントのポイント数４８が含まれる。
【００５６】
図６に示すように、交換ポイントのポイント数４４が独立して印刷されるため、商品交換によって使用されたポイント数を明確に把握することができる。
【００５７】
なお、図６は、レシートＰ１の例を示しているが、商品登録装置１０は、ジャーナルデータをレシートに印刷して出力させることができる。この場合、商品登録装置１０は、例えば図６に示すレシートＰ１と同様の印刷フォーマットを用いて、ポイント交換商品に関係する情報を印刷することが可能である。また、ポイント数の出力は、レシートＰ１に限らず、必要に応じて、適宜、客面用のディスプレイ１１ｈまたは従業員用のディスプレイ１１ｇに表示させても良い。
【００５８】
さらに、商品登録装置１０は、取引状況を点検するために、取引状況を集計したデータをレシートに印刷して出力させる点検レポート処理を実行することができる。点検レポートとしては、例えば取引別、商品別、部門別などがある。この場合に、商品交換についてのデータを集計して印刷させることができる。
【００５９】
図７は、本実施形態における商品登録装置１０の点検レポートＰ２の一例を示す図である。
図７に示す点検レポートＰ２では、例えば席料、プロモーション値引、値引き／割引合計、割引券差額のそれぞれについての集計情報５０〜５６が印刷されている。集計情報５０〜５６には、例えば、対象とする商品の合計点数と合計金額が印刷されている。さらに、商品交換についても集計情報５８が印刷されている。集計情報５８には、例えば、商品交換の対象とする商品（ポイント交換商品）の合計点数５８Ａと、ポイントと交換となった商品（ポイント交換商品）の合計金額５８Ｂとが印刷されている。
【００６０】
こうして、点検レポートＰ２では、複数の取引を集計した結果において、商品交換についての情報を他の取引情報についての情報と区別して出力させることが可能となる。なお、ポイントと交換された商品の数の出力は、点検レポートＰ２に限らず、必要に応じて、適宜、客面用のディスプレイ１１ｈ、従業員用のディスプレイ１１ｇ、レシートＰ１のうち、いずれかに表示させても良い。
【００６１】
このようにして、本実施形態における商品登録装置１０では、ポイントサービスあるいはポイントサービスを利用して商品の交換がされる場合には、一覧リスト２４及び一覧リスト３０において、交換商品を他の購入商品と区別して表示させることができる。また、決済処理後においては、レシートＰ１、ジャーナル及び点検レポートＰ２においても、同様にして交換商品（ポイント交換商品）を他の購入商品と区別して印刷させることができる。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６３】
また、前述した実施の形態において記載した処理は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。コンピュータは、記録媒体に記録されたプログラムを読み込み、または通信媒体を介してプログラムを受信し、このプログラムによって動作が制御されることにより、上述した処理を実行する。
【符号の説明】
【００６４】
１０…ＰＯＳ端末、１１ａ…ＣＰＵ、１１ｂ…ＲＯＭ、１１ｃ…ＲＡＭ、１１ｄ…補助記憶ユニット、１１ｅ…ドロワ開放ユニット、１１ｆ…スキャナ、１１ｇ…タッチパネル、１１ｈ…ディスプレイ、１１ｊ…プリンタ、１１ｍ…カードリーダライタ、１１ｎ…通信ユニット、１２…ネットワーク、１４…サーバ。
【図１】
2019109593.tif 000003
【図２】
2019109593.tif 000004
【図３】
2019109593.tif 000005
【図４】
2019109593.tif 000006
【図５】
2019109593.tif 000007
【図６】
2019109593.tif 000008
【図７】
2019109593.tif 000009